(57)【要約】      （修正有）【課題】融通性よく簡易かつ強固にワイヤーメッシュを壁面等に取り付けることが可能なワイヤーメッシュ固定用金具、固定構造及び、固定用部材を提供する。【解決手段】固定用部材とワイヤーメッシュ押え部材とを備える。固定用部材は、平面視略Ｌ字状プレートであり、横辺及び縦辺の長手方向に長い長穴が形成され、両辺の交差部には固定用ボルト穴が形成される。ワイヤーメッシュ押え部材は、押え用ボルト穴が形成される基板部と、く字状又は円弧状保持部を有する。固定用ボルト穴に固定用ボルトが挿入され、長穴と押え用ボルト穴とにボルトが挿入される。【選択図】図５
0003164469.tif 000002
【実用新案登録請求の範囲】
【請求項１】
ワイヤーメッシュの被固定部材への固定用金具において、
平面視略L字状のＬ字プレートであり、該Ｌ字プレートの横辺及び縦辺にはそれぞれ、各辺の長手方向に長い長穴が形成されており、該Ｌ字プレートの各辺の交差部には、被固定部材への固定用ボルト穴が形成されている、被固定部材への固定用部材と、
押え用ボルト穴が形成されている基板部とく字状または円弧状保持部とを有する少なくとも２つのワイヤーメッシュ押え部材とを備え、
前記固定用部材は、被固定部材への固定用ボルトが前記固定用ボルト穴に挿入されて、前記固定用部材が被固定部材にねじ止め固定される構造であり、
前記ワイヤーメッシュ押え部材は、前記固定用部材の長穴と前記押え用ボルト穴とにボルトが挿入されて、前記く字状または円弧状保持部と、前記固定用部材の各辺とで、ワイヤーメッシュの横線材と縦線材が押さえられて挟持されつつ、前記ワイヤーメッシュ押え部材が前記固定用部材にねじ止め固定される構造であることを特徴とする、ワイヤーメッシュ固定用金具。
【請求項２】
前記被固定部材が、壁面部材、法面部材、屋根面部材または構造物躯体部材であることを特徴とする、請求項１記載のワイヤーメッシュ固定用金具。
【請求項３】
前記固定用部材の横辺もしくは縦辺と、前記固定用部材の各辺の交差部と間で、ワイヤーメッシュの線材断面直径に相当する長さの段差が設けられていることを特徴とする、請求項１または請求項２記載のワイヤーメッシュ固定用金具。
【請求項４】
前記ワイヤーメッシュ押え部材が２つであり、前記ワイヤーメッシュの横線材と縦線材が、ワイヤーメッシュの一つのマス目の横辺と縦辺であることを特徴とする、請求項１〜請求項３のいずれか１項記載のワイヤーメッシュ固定用金具。
【請求項５】
ワイヤーメッシュの一つのマス目の横辺の内寸をX、縦辺の内寸をYとし、
前記固定用部材の横辺の長穴から前記固定用ボルト穴中心までの距離をWX、前記固定用部材の縦辺の長穴から前記固定用ボルト穴中心までの距離をWYとしたときに、
前記固定用部材の横辺の長穴の長さZXが、WX＋ZX≧0.4Xを満たし、
前記固定用部材の縦辺の長穴の長さZYが、WY＋ZY≧0.4Yを満たすことを特徴とする、請求項４記載のワイヤーメッシュ固定用金具。
【請求項６】
前記固定用部材の横辺の長穴から前記固定用ボルト穴中心までの距離WXが0.2X以下であり、
前記固定用部材の横辺の長穴から前記固定用部材の横辺端までの距離VXが0.1X以上であり、
前記一つのマス目の縦辺を押さえるワイヤーメッシュ押え部材の押え用ボルト穴から前記保持部の凸の頂部までの距離MXが0.05X以上であり、
前記固定用部材の縦辺の長穴から前記固定用ボルト穴中心までの距離WYが0.2Y以下であり、
前記固定用部材の縦辺の長穴から前記固定用部材の縦辺端までの距離VYが0.1Y以上であり、
前記一つのマス目の横辺を押さえるワイヤーメッシュ押え部材の押え用ボルト穴から前記保持部の凸の頂部までの距離MYが0.05Y以上であることを特徴とする、請求項５記載のワイヤーメッシュ固定用金具。
【請求項７】
ワイヤーメッシュの被固定部材への固定構造において、
平面視略L字状、平面視上下逆略L字状、平面視左右逆略L字状もしくは平面視上下左右逆略L字状のＬ字プレートであり、該Ｌ字プレートの横辺及び縦辺にはそれぞれ、各辺の長手方向に長い長穴が形成されており、該Ｌ字プレートの各辺の交差部には、被固定部材への固定用ボルト穴が形成されている、被固定部材への固定用部材と、
押え用ボルト穴が形成されている基板部とく字状または円弧状保持部とを有する少なくとも２つのワイヤーメッシュ押え部材とを備え、
被固定部材への固定用ボルトが前記固定用ボルト穴に挿入されて、前記固定用部材が被固定部材にねじ止め固定されており、
前記固定用部材の長穴と前記押え用ボルト穴とにボルトが挿入されて、前記く字状または円弧状保持部と、前記固定用部材の各辺とで、ワイヤーメッシュの横線材と縦線材が押さえられて挟持されつつ、前記ワイヤーメッシュ押え部材が前記固定用部材にねじ止め固定されていることを特徴とする、ワイヤーメッシュ固定構造。
【請求項８】
前記被固定部材が、壁面部材、法面部材、屋根面部材または構造物躯体部材であることを特徴とする、請求項７記載のワイヤーメッシュ固定構造。
【請求項９】
前記固定用部材の横辺もしくは縦辺と、前記固定用部材の各辺の交差部と間で、ワイヤーメッシュの線材断面直径に相当する長さの段差が設けられていることを特徴とする、請求項７または請求項８記載のワイヤーメッシュ固定構造。
【請求項１０】
前記ワイヤーメッシュ押え部材が２つであり、前記ワイヤーメッシュの横線材と縦線材が、ワイヤーメッシュの一つのマス目の横辺と縦辺であることを特徴とする、請求項７〜請求項９のいずれか１項記載のワイヤーメッシュ固定構造。
【請求項１１】
ワイヤーメッシュの一つのマス目の横辺の内寸をX、縦辺の内寸をYとし、
前記固定用部材の横辺の長穴から前記固定用ボルト穴中心までの距離をWX、前記固定用部材の縦辺の長穴から前記固定用ボルト穴中心までの距離をWYとしたときに、
前記固定用部材の横辺の長穴の長さZXが、WX＋ZX≧0.4Xを満たし、
前記固定用部材の縦辺の長穴の長さZYが、WY＋ZY≧0.4Yを満たすことを特徴とする、請求項１０記載のワイヤーメッシュ固定構造。
【請求項１２】
前記固定用部材の横辺の長穴から前記固定用ボルト穴中心までの距離WXが0.2X以下であり、
前記固定用部材の横辺の長穴から前記固定用部材の横辺端までの距離VXが0.1X以上であり、
前記一つのマス目の縦辺を押さえるワイヤーメッシュ押え部材の押え用ボルト穴から前記保持部の凸部の頂部までの距離MXが0.05X以上であり、
前記固定用部材の縦辺の長穴から前記固定用ボルト穴中心までの距離WYが0.2Y以下であり、
前記固定用部材の縦辺の長穴から前記固定用部材の縦辺端までの距離VYが0.1Y以上であり、
前記一つのマス目の横辺を押さえるワイヤーメッシュ押え部材の押え用ボルト穴から前記保持部の凸部の頂部までの距離MYが0.05Y以上であることを特徴とする、請求項１１記載のワイヤーメッシュ固定構造。
【請求項１３】
平面視略L字状のＬ字プレートであり、該Ｌ字プレートの横辺及び縦辺にはそれぞれ、各辺の長手方向に長い長穴が形成されており、該Ｌ字プレートの各辺の交差部には、被固定部材への固定用ボルト穴が形成されていること、および、被固定部材への固定用ボルトが前記固定用ボルト穴に挿入されて、当該固定用部材が被固定部材にねじ止め固定される構造であることを特徴とする、ワイヤーメッシュの被固定部材への固定用部材。
【請求項１４】
前記固定用部材の横辺もしくは縦辺と、前記固定用部材の各辺の交差部と間で、ワイヤーメッシュの線材断面直径に相当する長さの段差が設けられていることを特徴とする、請求項１３記載のワイヤーメッシュの被固定部材への固定用部材。
【考案の詳細な説明】
【技術分野】
【０００１】
本考案は、ワイヤーメッシュを壁面等に取り付けるためのワイヤーメッシュ固定用金具、ワイヤーメッシュ固定構造およびワイヤーメッシュの被固定部材への固定用部材に関するものである。
【背景技術】
【０００２】
従来より、建物等構造物の躯体や壁面材等の壁面にワイヤーメッシュ（溶接金網）を取り付ける場合には、躯体や壁面材にボルトを固定し、そのボルトにワイヤーメッシュを挟持可能な金具を固定して、壁面にワイヤーメッシュを取り付けている。しかし、壁面部材や構造物躯体部材等の被固定部材にボルトを固定できる位置は、壁面部材や構造物躯体部材の構造や他の部材との関係によって決まってしまうため、壁面部材や構造物躯体部材等にボルトを固定できる位置とワイヤーメッシュとの相対的位置関係は、壁面部材や構造物躯体部材等にボルトを固定できる位置が、必ずしもワイヤーメッシュにおける一つのマス目内の所定位置とはならないことが多いという問題がある。
【０００３】
構造物の躯体に金網を取り付ける為の取付金具として、特許文献１の金網固定金具が知られている。特許文献１の金網固定金具は、補強金網を被覆される躯体から決められた距離に固定する位置決め部品と、位置決め部品に仮止めされた補強金網を固定する部品からなり、この二つの部品は躯体本体に取り付けられたビスにより、躯体本体に同時に固定される構造となっている。そして、この二つの部品をスライドさせることにより、補強金網をモルタル被覆層内の規定の位置に固定することできるようにしている。しかし、特許文献１の図２に示されるように、金網における一つのマス目の一辺のみを金具で挟持することは、金具と金網の線材との間での横ずれを生じる恐れがあり問題である。
【先行技術文献】
【特許文献】
【０００４】
【特許文献１】特開２００９−１５０２０２公報
【考案の概要】
【考案が解決しようとする課題】
【０００５】
そこで、本考案は、これらの問題点を解消するとともに、固定強度があり、簡易に融通性よく低コストで、ワイヤーメッシュを壁面部材等の被固定部材に取り付けることが可能となるワイヤーメッシュ固定用金具およびワイヤーメッシュ固定構造を提供することを目的とする。また、前記ワイヤーメッシュ固定用金具の主たる構成部品である被固定部材への固定用部材を提供することを目的とする。
【課題を解決するための手段】
【０００６】
以下のワイヤーメッシュ固定用金具、ワイヤーメッシュ固定構造およびワイヤーメッシュの被固定部材への固定用部材により、上記目的を達成することができる。
【０００７】
本考案のワイヤーメッシュ固定用金具は、「ワイヤーメッシュの被固定部材への固定用金具において、平面視略L字状のＬ字プレートであり、該Ｌ字プレートの横辺及び縦辺にはそれぞれ、各辺の長手方向に長い長穴が形成されており、該Ｌ字プレートの各辺の交差部には、被固定部材への固定用ボルト穴が形成されている、被固定部材への固定用部材と、押え用ボルト穴が形成されている基板部とく字状または円弧状保持部とを有する少なくとも２つのワイヤーメッシュ押え部材とを備え、前記固定用部材は、被固定部材への固定用ボルトが前記固定用ボルト穴に挿入されて、前記固定用部材が被固定部材にねじ止め固定される構造であり、前記ワイヤーメッシュ押え部材は、前記固定用部材の長穴と前記押え用ボルト穴とにボルトが挿入されて、前記く字状または円弧状保持部と、前記固定用部材の各辺とで、ワイヤーメッシュの横線材と縦線材が押さえられて挟持されつつ、前記ワイヤーメッシュ押え部材が前記固定用部材にねじ止め固定される構造であること」を主要な特徴とする。
【０００８】
前記ワイヤーメッシュ押え部材は２つ〜４つであることが好ましく、２つであることがより好ましい。
前記ワイヤーメッシュ押え部材が２つの場合は、取り付けに際して、各１個がそれぞれ前記Ｌ字プレートの横辺及び縦辺に載置され、各基板部が横辺及び縦辺に密接されている。しかも、前記ワイヤーメッシュ押え部材の各押え用ボルト穴は前記Ｌ字プレートの横辺の長穴及び縦辺の長穴上に位置している。
前記ワイヤーメッシュ押え部材が３つの場合は、例えば、取り付けに際して、前記Ｌ字プレートの横辺が隣り合うワイヤーメッシュ縦線材２本をまたぐ様に、前記固定用部材が設置されて、前記ワイヤーメッシュ押え部材２つが前記Ｌ字プレートの横辺に載置され、残り１つのワイヤーメッシュ押え部材が縦辺に載置されて、各基板部が横辺及び縦辺に密接されている。しかも、前記ワイヤーメッシュ押え部材の各押え用ボルト穴は前記Ｌ字プレートの横辺の長穴及び縦辺の長穴上に位置している。
前記ワイヤーメッシュ押え部材が４つの場合は、例えば、取り付けに際して、前記Ｌ字プレートの横辺が隣り合うワイヤーメッシュ縦線材２本をまたぐ様に、かつ、前記Ｌ字プレートの縦辺が隣り合うワイヤーメッシュ横線材２本をまたぐ様に、前記固定用部材が設置されて、前記ワイヤーメッシュ押え部材２つが前記Ｌ字プレートの横辺に載置され、残り２つのワイヤーメッシュ押え部材が前記Ｌ字プレートの縦辺に載置されて、各基板部が横辺及び縦辺に密接されている。しかも、前記ワイヤーメッシュ押え部材の各押え用ボルト穴は前記Ｌ字プレートの横辺の長穴及び縦辺の長穴上に位置している。
【０００９】
前記ワイヤーメッシュ押え部材のく字状または円弧状保持部は、ワイヤーメッシュの横線材と縦線材を押さえることが可能な大きさである。なお、特に限定されるものではないが、ワイヤーメッシュ押え部材の基板部とく字状保持部との間の内角は１３５度、く字状保持部の頂部の内角は９０度が好ましい。
本考案のワイヤーメッシュ固定用金具によると、ワイヤーメッシュの横線材と縦線材の二辺をワイヤーメッシュ固定用金具で挟持することができるので、ワイヤーメッシュ固定用金具とワイヤーメッシュ線材との間での横ずれの心配がなく、簡易にかつ強固にワイヤーメッシュを固定することができる。
【００１０】
本考案の好ましい実施形態のワイヤーメッシュ固定用金具においては、被固定部材は、壁面部材、法面部材、屋根面部材または構造物躯体部材である。ワイヤーメッシュは、溶接金網とも言われ、壁面緑化に通常良く使用されている。本考案のワイヤーメッシュ固定用金具において、ワイヤーメッシュは、壁面緑化に通常良く使用されているワイヤーメッシュのマス目の横ピッチ×縦ピッチが100ｍｍ×100ｍｍ〜200ｍｍ×200ｍｍ、ワイヤーメッシュ線材の断面直径が3ｍｍ〜6ｍｍであるものが好ましい。被固定部材への固定用ボルトとしては、アンカーボルト、スタッドボルトや壁貫通ボルトが例示されるが、本考案において特に限定されるものはない。
【００１１】
さらには、本考案の好ましい実施形態のワイヤーメッシュ固定用金具においては、被固定部材への固定用部材の横辺もしくは縦辺と、前記固定用部材の各辺の交差部と間で、ワイヤーメッシュ断面直径に相当する長さの段差が設けられていることを特徴とする。なお、このワイヤーメッシュ断面直径は、ワイヤーメッシュの横線材と縦線材のいずかの断面直径である。ワイヤーメッシュによっては、横線材と縦線材とが重なるような形で横線材と縦線材とで段差が生じる。断面直径が小さい場合は特に問題とならないが、断面直径が大きい場合は、その段差が大きくなり、ワイヤーメッシュ線材や被固定部材への固定用部材においてねじれを生じさせてしまうという問題が生じる。このような場合に、上記ワイヤーメッシュ固定用金具は、ワイヤーメッシュ線材や被固定部材への固定用部材においてねじれを生じさせることなく、ワイヤーメッシュを固定することができる。
【００１２】
さらには、本考案の好ましい実施形態のワイヤーメッシュ固定用金具においては、前記ワイヤーメッシュ押え部材が２つであり、前記ワイヤーメッシュの横線材と縦線材が、ワイヤーメッシュの一つのマス目の横辺と縦辺であることを特徴とする。
このようなワイヤーメッシュ固定用金具であることによって、ワイヤーメッシュの一つのマス目の横辺及び縦辺の二辺という被固定部材への固定用ボルトの近くでワイヤーメッシュ線材を挟持することができるので、ワイヤーメッシュ固定用金具とワイヤーメッシュ線材との間での横ずれの心配がなく、簡易にかつ強固にワイヤーメッシュを固定することができる。
【００１３】
さらに、このような本考案の好ましい実施形態のワイヤーメッシュ固定用金具においては、ワイヤーメッシュの一つのマス目の横辺の内寸をX、縦辺の内寸をYとし、前記固定用部材の横辺の長穴から前記固定用ボルト穴中心までの距離をWX、前記固定用部材の縦辺の長穴から前記固定用ボルト穴中心までの距離をWYとしたときに、前記固定用部材の横辺の長穴の長さZXが、WX＋ZX≧0.4Xを満たし、前記固定用部材の縦辺の長穴の長さZYが、WY＋ZY≧0.4Yを満たすことを特徴とする。
そしてさらに、このような好ましい実施形態のワイヤーメッシュ固定用金具においては、前記固定用部材の横辺の長穴から前記固定用ボルト穴中心までの距離WXが0.2X以下であり、前記固定用部材の横辺の長穴から前記固定用部材の横辺端までの距離VXが0.1X以上であり、前記一つのマス目の横辺を押さえるワイヤーメッシュ押え部材の押え用ボルト穴から前記保持部の凸部の頂部までの距離MXが0.05X以上であり、前記固定用部材の縦辺の長穴から前記固定用ボルト穴中心までの距離WYが0.2Y以下であり、前記固定用部材の縦辺の長穴から前記固定用部材の縦辺端までの距離VYが0.1Y以上であり、前記一つのマス目の縦辺を押さえるワイヤーメッシュ押え部材の押え用ボルト穴から前記保持部の凸部の頂部までの距離MYが0.05Y以上であることが好ましい。
このようなワイヤーメッシュ固定用金具であることによって、壁面部材や構造物躯体部材等にボルトを固定できる位置が、ワイヤーメッシュにおける一つのマス目内のどの位置となっても、簡易にかつ強固にワイヤーメッシュを固定することができる。
【００１４】
なお、前記被固定部材への固定用部材およびワイヤーメッシュ押え部材は金属または合金からなることが好ましく、特には高強度であり錆にくい金属、例えばステンレススチールからなることが好ましい。
【００１５】
本考案のワイヤーメッシュ固定構造は、「ワイヤーメッシュの被固定部材への固定構造において、平面視略L字状、平面視上下逆略L字状、平面視左右逆略L字状もしくは平面視上下左右逆略L字状のＬ字プレートであり、該Ｌ字プレートの横辺及び縦辺にはそれぞれ、各辺の長手方向に長い長穴が形成されており、該Ｌ字プレートの各辺の交差部には、被固定部材への固定用ボルト穴が形成されている、被固定部材への固定用部材と、押え用ボルト穴が形成されている基板部とく字状または円弧状保持部とを有する少なくとも２つのワイヤーメッシュ押え部材とを備え、被固定部材への固定用ボルトが前記固定用ボルト穴に挿入されて、前記固定用部材が被固定部材にねじ止め固定されており、前記固定用部材の長穴と前記押え用ボルト穴とにボルトが挿入されて、前記く字状または円弧状保持部と、前記固定用部材の各辺とで、ワイヤーメッシュの横線材と縦線材が押さえられて挟持されつつ、前記ワイヤーメッシュ押え部材が前記固定用部材にねじ止め固定されていること」を主要な特徴とする。
【００１６】
前記ワイヤーメッシュ押え部材は２つ〜４つであることが好ましく、２つであることがより好ましい。
前記ワイヤーメッシュ押え部材が２つの場合は、取り付けに際して、各１個がそれぞれ前記Ｌ字プレートの横辺及び縦辺に載置され、各基板部が横辺及び縦辺に密接されている。しかも、前記ワイヤーメッシュ押え部材の各押え用ボルト穴は前記Ｌ字プレートの横辺の長穴及び縦辺の長穴上に位置している。
前記ワイヤーメッシュ押え部材が３つの場合は、例えば、取り付けに際して、前記Ｌ字プレートの横辺が隣り合うワイヤーメッシュ縦線材２本をまたぐ様に、前記固定用部材が設置されて、前記ワイヤーメッシュ押え部材２つが前記Ｌ字プレートの横辺に載置され、残り１つのワイヤーメッシュ押え部材が縦辺に載置されて、各基板部が横辺及び縦辺に密接されている。しかも、前記ワイヤーメッシュ押え部材の各押え用ボルト穴は前記Ｌ字プレートの横辺の長穴及び縦辺の長穴上に位置している。
前記ワイヤーメッシュ押え部材が４つの場合は、例えば、取り付けに際して、前記Ｌ字プレートの横辺が隣り合うワイヤーメッシュ縦線材２本をまたぐ様に、かつ、前記Ｌ字プレートの縦辺が隣り合うワイヤーメッシュ横線材２本をまたぐ様に、前記固定用部材が設置されて、前記ワイヤーメッシュ押え部材２つが前記Ｌ字プレートの横辺に載置され、残り２つのワイヤーメッシュ押え部材が前記Ｌ字プレートの縦辺に載置されて、各基板部が横辺及び縦辺に密接されている。しかも、前記ワイヤーメッシュ押え部材の各押え用ボルト穴は前記Ｌ字プレートの横辺の長穴及び縦辺の長穴上に位置している。
【００１７】
前記ワイヤーメッシュ押え部材のく字状または円弧状保持部は、ワイヤーメッシュの横線材と縦線材を押さえることが可能な大きさである。なお、特に限定されるものではないが、ワイヤーメッシュ押え部材の基板部とく字状保持部との間の内角は１３５度、く字状保持部の頂部の内角は９０度が好ましい。
前記正面視略L字状、正面視上下逆略L字状、正面視左右逆略L字状もしくは正面視上下左右逆略L字状とは、被固定部材に取り付けられたワイヤーメッシュを正面から見たときのL字プレートである被固定部材への固定用部材の状態を示している。上下逆略L字状とは略L字が上下に反転している状態を示し、左右逆略L字状とは略L字が左右に反転している状態を示し、上下左右逆略L字状とは略L字が上下および左右に反転している状態を示している。
【００１８】
本考案のワイヤーメッシュ固定構造によると、ワイヤーメッシュの横線材と縦線材の二辺をワイヤーメッシュ固定用金具で挟持することができるので、ワイヤーメッシュ固定用金具とワイヤーメッシュ線材との間での横ずれの心配がなく、簡易にかつ強固にワイヤーメッシュを固定することができる。
【００１９】
本考案の好ましい実施形態のワイヤーメッシュ固定構造においては、被固定部材は、壁面部材、法面部材、屋根面部材または構造物躯体部材である。ワイヤーメッシュは、溶接金網とも言われ、壁面緑化に通常良く使用されている。本考案のワイヤーメッシュ固定構造において、ワイヤーメッシュは、壁面緑化に通常良く使用されているワイヤーメッシュの一つのマス目の横ピッチ×縦ピッチが100ｍｍ×100ｍｍ〜200ｍｍ×200ｍｍ、ワイヤーメッシュ線材の断面直径が3ｍｍ〜6ｍｍであるものが好ましい。被固定部材への固定用ボルトとしては、アンカーボルト、スタッドボルトや壁貫通ボルトが例示されるが、本考案において特に限定されるものはない。
【００２０】
さらには、本考案の好ましい実施形態のワイヤーメッシュ固定構造においては、被固定部材への固定用部材の横辺もしくは縦辺と、前記固定用部材の各辺の交差部と間で、ワイヤーメッシュ断面直径に相当する長さの段差が設けられていることを特徴とする。なお、このワイヤーメッシュ断面直径は、ワイヤーメッシュの横線材と縦線材のいずかの断面直径である。ワイヤーメッシュによっては、横線材と縦線材とが重なるような形で横線材と縦線材とで段差が生じる。断面直径が小さい場合は特に問題とならないが、断面直径が大きい場合は、その段差が大きくなり、ワイヤーメッシュ線材や被固定部材への固定用部材においてねじれを生じさせてしまうという問題が生じる。このような場合に、上記ワイヤーメッシュ固定構造は、ワイヤーメッシュ線材や被固定部材への固定用部材においてねじれを生じさせることなく、ワイヤーメッシュを固定することができる。
【００２１】
さらには、本考案の好ましい実施形態のワイヤーメッシュ固定構造においては、前記ワイヤーメッシュ押え部材が２つであり、前記ワイヤーメッシュの横線材と縦線材が、ワイヤーメッシュの一つのマス目の横辺と縦辺であることを特徴とする。
このようなワイヤーメッシュ固定構造であることによって、ワイヤーメッシュの一つのマス目の横辺及び縦辺の二辺という被固定部材への固定用ボルトの近くでワイヤーメッシュ線材を挟持することができるので、ワイヤーメッシュ固定用金具とワイヤーメッシュ線材との間での横ずれの心配がなく、簡易にかつ強固にワイヤーメッシュを固定することができる。
【００２２】
さらに、このような本考案の好ましい実施形態のワイヤーメッシュ固定構造においては、ワイヤーメッシュの一つのマス目の横辺の内寸をX、縦辺の内寸をYとし、前記固定用部材の横辺の長穴から前記固定用ボルト穴中心までの距離をWX、前記固定用部材の縦辺の長穴から前記固定用ボルト穴中心までの距離をWYとしたときに、前記固定用部材の横辺の長穴の長さZXが、WX＋ZX≧0.4Xを満たし、前記固定用部材の縦辺の長穴の長さZYが、WY＋ZY≧0.4Yを満たすことを特徴とする。
そしてさらに、このような好ましい実施形態のワイヤーメッシュ固定構造においては、前記固定用部材の横辺の長穴から前記固定用ボルト穴中心までの距離WXが0.2X以下であり、前記固定用部材の横辺の長穴から前記固定用部材の横辺端までの距離VXが0.1X以上であり、前記一つのマス目の縦辺を押さえるワイヤーメッシュ押え部材の押え用ボルト穴から前記保持部の凸の頂部までの距離MXが0.05X以上であり、前記固定用部材の縦辺の長穴から前記固定用ボルト穴中心までの距離WYが0.2Y以下であり、前記固定用部材の縦辺の長穴から前記固定用部材の縦辺端までの距離VYが0.1Y以上であり、前記一つのマス目の横辺を押さえるワイヤーメッシュ押え部材の押え用ボルト穴から前記保持部の凸の頂部までの距離MYが0.05Y以上であることがより好ましい。
このようなワイヤーメッシュ固定構造であることによって、壁面部材や構造物躯体部材等にボルトを固定できる位置が、ワイヤーメッシュにおける一つのマス目内のどの位置となっても、簡易にかつ強固にワイヤーメッシュを固定することができる。
【００２３】
なお、前記被固定部材への固定用部材およびワイヤーメッシュ押え部材は金属または合金からなることが好ましく、特には高強度であり錆にくい金属、例えばステンレススチールからなることが好ましい。
【００２４】
本考案のワイヤーメッシュの被固定部材への固定用部材は、「平面視略L字状のＬ字プレートであり、該Ｌ字プレートの横辺及び縦辺にはそれぞれ、各辺の長手方向に長い長穴が形成されており、該Ｌ字プレートの各辺の交差部には、被固定部材への固定用ボルト穴が形成されていること、および、被固定部材への固定用ボルトが前記固定用ボルト穴に挿入されて、当該固定用部材が被固定部材にねじ止め固定される構造である」ことを特徴とする。
当該固定用部材の長穴と前記ワイヤーメッシュ押え部材の押え用ボルト穴とにボルトを挿入して、前記ワイヤーメッシュ押え部材のく字状または円弧状保持部と、当該固定用部材の各辺とで、ワイヤーメッシュの一つのマス目の横辺と縦辺を押さえて挟持しつつ、前記ワイヤーメッシュ押え部材を前記固定用部材にねじ止め固定することができる。
当該固定用部材の詳細は、段落[０００７]〜[００１４]で説明したとおりである。
【００２５】
さらには、本考案の好ましい実施形態のワイヤーメッシュの被固定部材への固定用部材においては、前記固定用部材の横辺もしくは縦辺と、前記固定用部材の各辺の交差部と間で、ワイヤーメッシュの線材断面直径に相当する長さの段差が設けられていることを特徴とする。なお、このワイヤーメッシュ断面直径は、ワイヤーメッシュの横線材と縦線材のいずかの断面直径である。ワイヤーメッシュによっては、横線材と縦線材とが重なるような形で横線材と縦線材とで段差が生じる。断面直径が小さい場合は特に問題とならないが、断面直径が大きい場合は、その段差が大きくなり、ワイヤーメッシュ線材やワイヤーメッシュの被固定部材への固定用部材においてねじれを生じさせてしまうという問題が生じる。このような場合に、上記ワイヤーメッシュの被固定部材への固定用部材は、ワイヤーメッシュ線材やワイヤーメッシュの被固定部材への固定用部材においてねじれを生じさせることなく、ワイヤーメッシュを固定することができる。
【考案の効果】
【００２６】
本考案のワイヤーメッシュ固定用金具およびワイヤーメッシュ固定構造は、ワイヤーメッシュの横線材と縦線材の二辺やワイヤーメッシュの一つのマス目の横辺と縦辺の二辺をワイヤーメッシュ固定用金具で挟持することができるので、該金具とワイヤーメッシュ線材との間での横ずれの心配がなく、簡易にかつ強固にワイヤーメッシュを被固定部材に固定することができる。さらには、ワイヤーメッシュ線材や被固定部材への固定用部材においてねじれを生じさせることなく、ワイヤーメッシュを被固定部材に固定することができる。さらには、壁面部材や構造物躯体部材等にボルトを固定できる位置が、ワイヤーメッシュにおける一つのマス目内のどの位置となっても、簡易にかつ強固にワイヤーメッシュを固定することができる。
つまり、本考案のワイヤーメッシュ固定用金具を使用すると、融通性よく簡易にかつ強固に、ワイヤーメッシュを被固定部材、例えば壁面に取り付けることが可能である。
本考案のワイヤーメッシュ固定構造では、融通性よく簡易にかつ強固に、ワイヤーメッシュが被固定部材、例えば壁面に取り付けられている。
本考案のワイヤーメッシュの被固定部材への固定用部材は、押え用ボルト穴が形成されている基板部とく字状または円弧状保持部とを有する少なくとも２つのワイヤーメッシュ押え部材、好ましくは２つを併用することにより、ワイヤーメッシュを融通性よく簡易にかつ強固に被固定部材、例えば壁面に取り付けることが可能である。
【図面の簡単な説明】
【００２７】
【図１】図１は、本考案のワイヤーメッシュ固定用金具およびワイヤーメッシュ固定構造における被固定部材への固定用部材の斜視図である。また、図１は、本考案のワイヤーメッシュの被固定部材への固定用部材の斜視図でもある。
【図２】図２は、本考案のワイヤーメッシュ固定用金具およびワイヤーメッシュ固定構造における被固定部材への固定用部材の斜視図である。また、図２は、本考案のワイヤーメッシュの被固定部材への固定用部材の斜視図でもある。
【図３】図３は、本考案のワイヤーメッシュ固定用金具およびワイヤーメッシュ固定構造におけるワイヤーメッシュ押え部材の斜視図である。
【図４】図４は、本考案のワイヤーメッシュ固定用金具およびワイヤーメッシュ固定構造におけるワイヤーメッシュ押え部材の斜視図である。
【図５】図５は、図１の被固定部材への固定用部材と図３のワイヤーメッシュ押え部材を備えるワイヤーメッシュ固定用金具Ｋを使用してワイヤーメッシュを被固定部材に固定した状態の一例を示す正面図である。
【図６】図６は、図５のＡ−Ａ’線断面図である。
【図７】図７は、図１の被固定部材への固定用部材と図３のワイヤーメッシュ押え部材を備えるワイヤーメッシュ固定用金具Ｋを使用してワイヤーメッシュを被固定部材に固定した状態の一例を示す正面図である。
【図８】図８は、図１の被固定部材への固定用部材と図３のワイヤーメッシュ押え部材を備えるワイヤーメッシュ固定用金具Ｋを使用してワイヤーメッシュを被固定部材に固定した状態の一例を示す正面図である。
【図９】図９は、図１の被固定部材への固定用部材と図３のワイヤーメッシュ押え部材を備えるワイヤーメッシュ固定用金具Ｋを使用してワイヤーメッシュを被固定部材に固定した状態の一例を示す正面図である。
【図１０】図１０は、図１の被固定部材への固定用部材と図３のワイヤーメッシュ押え部材を備えるワイヤーメッシュ固定用金具Ｋを使用してワイヤーメッシュを被固定部材に固定した状態の一例を示す正面図である。
【図１１】図１１は、本考案のワイヤーメッシュ固定用金具によって、建物外壁に固定されたワイヤーメッシュに、植物を這わせた状態の正面図である。
【考案を実施するための形態】
【００２８】
以下、図面を参照しつつ本考案のワイヤーメッシュ固定用金具、ワイヤーメッシュ固定構造およびワイヤーメッシュの被固定部材への固定用部材について詳細に説明する。
【００２９】
図１、図２は、本考案のワイヤーメッシュ固定用金具およびワイヤーメッシュ固定構造における被固定部材への固定用部材の斜視図である。また、図１は、本考案のワイヤーメッシュの被固定部材への固定用部材の斜視図でもある。図２の被固定部材への固定用部材は、固定用部材の横辺もしくは縦辺と、固定用部材の各辺の交差部と間で、ワイヤーメッシュの線材断面直径に相当する長さの段差が設けられている。また、図２は、本考案のワイヤーメッシュの被固定部材への固定用部材の斜視図でもある。
図３、図４は、本考案のワイヤーメッシュ固定用金具およびワイヤーメッシュ固定構造におけるワイヤーメッシュ押え部材の斜視図である。図３は、く字状保持部を有するワイヤーメッシュ押え部材であり、円弧状保持部を有するワイヤーメッシュ押え部材である。
図５は、図１の被固定部材への固定用部材と図３のワイヤーメッシュ押え部材を備えるワイヤーメッシュ固定用金具Ｋを使用してワイヤーメッシュを被固定部材に固定した状態の一例を示す正面図であり、図６は、図５のＡ−Ａ’線断面図である。
【００３０】
図１の被固定部材への固定用部材１ｐは、平面視略L字状のＬ字プレートであり、該Ｌ字プレート（固定用部材１ｐ）の横辺１ｘ及び縦辺１ｙにはそれぞれ、各辺の長手方向に長い長穴（２ｘ，２ｙ）が形成されており、該Ｌ字プレートの各辺の交差部には、被固定部材１０への固定用ボルト穴３ａが形成されている。
図２の被固定部材への固定用部材１ｑは、固定用部材の横辺１ｘと、固定用部材の各辺の交差部と間で、ワイヤーメッシュの線材断面直径に相当する長さの段差４が設けられている。
【００３１】
図３のワイヤーメッシュ押え部材５ｔは、押え用ボルト穴６ａが形成されている基板部７とく字状保持部８ｔとを有する。
図４のワイヤーメッシュ押え部材５ｓは、押え用ボルト穴６ａが形成されている基板部７と円弧状保持部８ｓとを有する。
【００３２】
図５、図６において、図１の被固定部材への固定用部材１ｐは、被固定部材１０への固定用ボルト３ｂが固定用ボルト穴３ａに挿入されて、被固定部材１０にねじ止め固定されている。図５の被固定部材１０への固定用ボルト３ｂの位置が、ワイヤーメッシュの一つのマス目内右上にある。また、図５の被固定部材への固定用部材１ｐは、正面視略L字状のＬ字プレートである。なお、ワイヤーメッシュの一つのマス目は、図５において、２本の横辺９ｘと２本縦辺９ｙにより構成される。
また、図５において、図３のワイヤーメッシュ押え部材５ｔであるワイヤーメッシュ押え部材５ｔｘは、固定用部材１ｐの横辺１ｘの長穴２ｘと押え用ボルト穴６ａとにボルト６ｂｘが挿入されて、く字状保持部８ｔｘと、固定用部材１ｐの横辺１ｘとで、ワイヤーメッシュ９の一つのマス目の縦辺９ｙを押さえて挟持しつつ、ワイヤーメッシュ押え部材５ｔｘが固定用部材１ｐにねじ止め固定されている。
また、図５、図６において、図３のワイヤーメッシュ押え部材５ｔであるワイヤーメッシュ押え部材５ｔｙは、固定用部材１ｐの縦辺１ｙの長穴２ｙと押え用ボルト穴６ａとにボルト６ｂｙが挿入されて、く字状保持部８ｔｙと、固定用部材１ｐの縦辺１ｙとで、ワイヤーメッシュ９の一つのマス目の横辺９ｘを押さえて挟持しつつ、ワイヤーメッシュ押え部材５ｔｘが固定用部材１ｐにねじ止め固定されている。
【００３３】
被固定部材への固定用部材１ｐは、ワイヤーメッシュ９の一つのマス目の横辺９ｘの内寸をX、縦辺９ｙの内寸をYとし、固定用部材１ｐの横辺１ｘの長穴２ｘから固定用ボルト穴３ａ中心までの距離をWX、固定用部材１ｐの縦辺１ｙの長穴２ｙから固定用ボルト穴３ａ中心までの距離をWYとしたときに、固定用部材１ｐの横辺１ｘの長穴２ｘの長さZXが、WX＋ZX≧0.4Xを満たし、固定用部材１ｐの縦辺１ｙの長穴２ｙの長さZYが、WY＋ZY≧0.4Yを満たすことが好ましい。このことは、被固定部材への固定用部材１ｐの代わりに、被固定部材への固定用部材１ｑを使用した場合においても同様である。
【００３４】
さらには、固定用部材１ｐの横辺１ｘの長穴２ｘから固定用ボルト穴３ａ中心までの距離WXが0.2X以下であり、固定用部材１ｐの横辺１ｘの長穴２ｘから固定用部材１ｐの横辺端１ｘｅまでの距離VXが0.1X以上であり、ワイヤーメッシュ９の一つのマス目の縦辺９ｙを押さえるワイヤーメッシュ押え部材５ｔｘの押え用ボルト穴６ａからく字状保持部８ｔｘの凸部の頂部８ｔｔｘまでの距離MXが0.05X以上であり、固定用部材１ｐの縦辺１ｙの長穴２ｙから固定用ボルト穴３ａ中心までの距離WYが0.2Y以下であり、固定用部材１ｐの縦辺１ｙの長穴２ｙから固定用部材１ｐの縦辺端１ｙｅまでの距離VYが0.1Y以上であり、ワイヤーメッシュの一つのマス目の横辺９ｘを押さえるワイヤーメッシュ押え部材５ｔｙの押え用ボルト穴６ａからく字状保持部８ｔｙの凸部の頂部８ｔｔｙまでの距離MYが0.05Y以上であることが好ましい。このことは、被固定部材への固定用部材１ｐの代わりに、被固定部材への固定用部材１ｑを使用した場合においても同様である。
【００３５】
図７は、図１の被固定部材への固定用部材１ｐと図３のワイヤーメッシュ押え部材（５ｔｘ，５ｔｙ）を備えるワイヤーメッシュ固定用金具Ｋを使用してワイヤーメッシュを被固定部材に固定した状態の一例を示す正面図である。
図７の被固定部材１０への固定用ボルト３ｂの位置が、ワイヤーメッシュ９の一つのマス目内中央付近にある。また、図７の被固定部材への固定用部材１ｐは、正面視上下左右逆略L字状のＬ字プレートである。
このように、壁面部材や構造物躯体部材等にボルトを固定できる位置が、ワイヤーメッシュにおけるワイヤーメッシュ９の一つのマス目内中央付近であっても、同じ寸法のワイヤーメッシュ固定用金具Ｋを使用して、簡易にかつ強固にワイヤーメッシュを固定することができる。
【００３６】
図８は、図１の被固定部材への固定用部材１ｐと図３のワイヤーメッシュ押え部材（５ｔｘ，５ｔｙ）を備えるワイヤーメッシュ固定用金具Ｋを使用してワイヤーメッシュを被固定部材に固定した状態の一例を示す正面図である。
図８の被固定部材１０への固定用ボルト３ｂの位置が、ワイヤーメッシュ９の一つのマス目内左上にある。また、図８の被固定部材への固定用部材１ｐは、正面視左右逆略L字状のＬ字プレートである。
このように、壁面部材や構造物躯体部材等にボルトを固定できる位置が、ワイヤーメッシュにおけるワイヤーメッシュ９の一つのマス目内左上であっても、同じ寸法のワイヤーメッシュ固定用金具Ｋを使用して、簡易にかつ強固にワイヤーメッシュを固定することができる。
【００３７】
図９は、図１の被固定部材への固定用部材１ｐと図３のワイヤーメッシュ押え部材（５ｔｘ，５ｔｙ）を備えるワイヤーメッシュ固定用金具Ｋを使用してワイヤーメッシュを被固定部材に固定した状態の一例を示す正面図である。
図９の被固定部材１０への固定用ボルト３ｂの位置が、ワイヤーメッシュ９の一つのマス目内右側にある。また、図９の被固定部材への固定用部材１ｐは、正面視上下逆略L字状のＬ字プレートである。
このように、壁面部材や構造物躯体部材等にボルトを固定できる位置が、ワイヤーメッシュにおける一つのマス目内右側であっても、同じ寸法のワイヤーメッシュ固定用金具Ｋを使用して、簡易にかつ強固にワイヤーメッシュを固定することができる。
【００３８】
図１０は、図１の被固定部材への固定用部材１ｐと図３のワイヤーメッシュ押え部材（５ｔｘ，５ｔｙ）を備えるワイヤーメッシュ固定用金具Ｋを使用してワイヤーメッシュを被固定部材に固定した状態の一例を示す正面図である。
図１０の被固定部材１０への固定用ボルト３ｂの位置が、ワイヤーメッシュ９の一つのマス目内左下にある。また、図１０の被固定部材への固定用部材１ｐは、正面視上下左右逆略L字状のＬ字プレートである。
このように、壁面部材や構造物躯体部材等にボルトを固定できる位置が、ワイヤーメッシュにおけるワイヤーメッシュ９の一つのマス目内左下であっても、同じ寸法のワイヤーメッシュ固定用金具Ｋを使用して、簡易にかつ強固にワイヤーメッシュを固定することができる。
【００３９】
図１１は、本考案のワイヤーメッシュ固定用金具によって、建物外壁に固定されたワイヤーメッシュに、植物を這わせた状態の正面図である。
図１１において、被固定部材１０は、建物の外壁である。正面視略L字状、正面視上下逆略L字状、正面視左右逆略L字状もしくは正面視上下左右逆略L字状のものが、ワイヤーメッシュ固定用金具Ｋである。建物の外壁にワイヤーメッシュ固定用金具Ｋによって固定されたワイヤーメッシュ９に、植物１１が這っている。
【産業上の利用可能性】
【００４０】
本考案のワイヤーメッシュ固定用金具は、緑化を必要とする壁面、法面、屋根面、構造物躯体等にワイヤーメッシュを固定するのに有用である。
本考案のワイヤーメッシュ固定構造は、壁面、法面、屋根面、構造物躯体等の緑化に有用である。本考案のワイヤーメッシュの被固定部材への固定用部材は、前記ワイヤーメッシュ固定用金具およびワイヤーメッシュ固定構造の主たる構成部品として有用である。
【符号の説明】
【００４１】
１ｐ    被固定部材への固定用部材
１ｑ    被固定部材への固定用部材
１ｘ    Ｌ字プレート（固定用部材１ｐ）の横辺
１ｙ    Ｌ字プレート（固定用部材１ｐ）の縦辺
２ｘ    Ｌ字プレート（固定用部材１ｐ）の横辺１ｘの長穴
２ｙ    Ｌ字プレート（固定用部材１ｐ）の縦辺１ｙの長穴
３ａ    被固定部材への固定用ボルト穴
３ｂ    被固定部材への固定用ボルト
４      ワイヤーメッシュの線材断面直径に相当する長さの段差
５ｔ    ワイヤーメッシュ押え部材
５ｔｘ  ワイヤーメッシュ押え部材
５ｔｙ  ワイヤーメッシュ押え部材
５ｓ    ワイヤーメッシュ押え部材
６ａ    押え用ボルト穴
６ｂｘ  ボルト
６ｂｙ  ボルト
６ｂｎ  ナット
７      基板部
８ｔ    く字状保持部
８ｓ    円弧状保持部
９      ワイヤーメッシュ
９ｘ    ワイヤーメッシュの一つのマス目の横辺
９ｙ    ワイヤーメッシュの一つのマス目の縦辺
１０    被固定部材
１１    植物
Ｋ      ワイヤーメッシュ固定用金具
【図１】
0003164469.tif 000003
【図２】
0003164469.tif 000004
【図３】
0003164469.tif 000005
【図４】
0003164469.tif 000006
【図５】
0003164469.tif 000007
【図６】
0003164469.tif 000008
【図７】
0003164469.tif 000009
【図８】
0003164469.tif 000010
【図９】
0003164469.tif 000011
【図１０】
0003164469.tif 000012
【図１１】
0003164469.tif 000013